(57)【要約】【課題】何らかのイベントの発生時に、そのときの状況に応じた適切なイベント通知を行う。【解決手段】第１の音出力手段であるスピーカ１７とは別に、第２の音出力手段であるイヤホン１８を任意に接続可能な機構を備える場合において、何らかのイベントを通知すべきタイミングになったときに、イヤホン接続状態検出部２６にてイヤホン１８の接続状態を検出し、イヤホン１８が接続されていればＲＡＭ２３から所定の音声データ（メッセージ）を読み出し、これを再生装置１６を通じてイヤホン１８に出力する。一方、イヤホン１８が接続いない場合にはＲＡＭ２３から別の音声データ（警告音）を読み出し、これを再生装置１６を通じてスピーカ１７に出力する。これにより、そのときの状況に応じた適切なイベント通知を実現できる。【選択図】    図１
2004304563.tif 000002
【特許請求の範囲】
【請求項１】
第１の音出力手段を備えた電子機器であって、
複数の音データを記憶した記憶手段と、
前記第１の音出力手段とは別の第２の音出力手段を接続するための接続手段と、
この接続手段に前記第２の音出力手段が接続されているか否かを検出する接続状態検出手段と、
所定の通知を行うべきタイミングになったときに、前記接続状態検出手段によって検出される前記第２の音出力手段の接続状態に応じて、データ出力先を前記第１または第２の音出力手段に設定する出力先設定手段と、
この出力先設定手段によって設定されたデータ出力先に基づいて前記記憶手段の各音データのうちの異なる音データを読み出して前記第１または第２の音出力手段に出力する制御手段と
を具備したことを特徴とする電子機器。
【請求項２】
表示手段および音出力手段を備えた電子機器であって、
複数の音データを記憶した記憶手段と、
前記表示手段の表示画面の少なくとも一部を覆う開閉自在の蓋部材と、
この蓋部材の開閉状態を検出する開閉状態検出手段と、
所定の通知を行うべきタイミングになったときに、前記開閉状態検出手段によって検出される前記蓋部材の開閉状態に基づいて前記記憶手段の各音データのうちの異なる音データを読み出して前記音出力手段に出力する制御手段と
を具備したことを特徴とする電子機器。
【請求項３】
表示手段および音出力手段を備えた電子機器であって、
複数の音データを記憶した記憶手段と、
点灯時に前記表示手段の表示画面に対して光を照射する光源と、
この光源の点灯状態を検出する点灯状態検出手段と、
所定の通知を行うべきタイミングになったときに、前記点灯状態検出手段によって検出される前記光源の点灯状態に基づいて前記記憶手段の各音データのうちの異なる音データを読み出して前記音出力手段に出力する制御手段と
を具備したことを特徴とする電子機器。
【請求項４】
表示手段と、
この表示手段の表示画面の少なくとも一部を覆う開閉自在の蓋部材と、
この蓋部材の開閉状態を検出する開閉状態検出手段とをさらに備え、
前記制御手段は、
前記出力先設定手段によって前記第２の音出力手段が設定された場合に、前記開閉状態検出手段によって検出される前記蓋部材の開閉状態に基づいて前記記憶手段の各音データのうちの異なる音データを読み出して前記第２の音出力手段に出力することを特徴とする請求項１記載の電子機器。
【請求項５】
表示手段と、
点灯時に前記表示手段の表示画面に対して光を照射する光源と、
この光源の点灯状態を検出する点灯状態検出手段とをさらに備え、
前記制御手段は、
前記出力先設定手段によって前記第２の音出力手段が設定された場合に、前記点灯状態検出手段によって検出される前記光源の点灯状態に基づいて前記記憶手段の各音データのうちの異なる音データを読み出して前記第２の音出力手段に出力することを特徴とする請求項１記載の電子機器。
【請求項６】
表示手段と、
この表示手段の表示画面の少なくとも一部を覆う開閉自在の蓋部材と、
この蓋部材の開閉状態を検出する開閉状態検出手段と、
点灯時に前記表示手段の表示画面に対して光を照射する光源と、
この光源の点灯状態を検出する点灯状態検出手段とをさらに備え、
前記制御手段は、
前記出力先設定手段によって前記第２の音出力手段が設定された場合に、前記開閉状態検出手段によって検出される前記蓋部材の開閉状態と前記点灯状態検出手段によって検出される前記光源の点灯状態とに基づいて前記記憶手段の各音データのうちの異なる音データを読み出して前記第２の音出力手段に出力することを特徴とする請求項１記載の電子機器。
【請求項７】
前記制御手段は、
前記出力先設定手段によって前記第１の音出力手段が設定された場合には、前記記憶手段に記憶された各音データのうちの特定の音データを前記第１の音出力手段に出力することを特徴とする請求項４乃至６のいずれかに記載の電子機器。
【請求項８】
通知時に出力すべき音データの内容を任意に設定する設定手段を備えたことを特徴とする請求項１乃至７のいずれかに記載の電子機器。
【請求項９】
第１の音出力手段を備えると共に、複数の音データを記憶した記憶手段と、前記第１の音出力手段とは別の第２の音出力手段を接続するための接続手段とを備えた電子機器に用いられるイベント通知方法であって、
所定の通知を行うべきタイミングになったか否かを判断し、
前記タイミングになったときに前記第２の音出力手段の接続状態を検出し、
その検出結果に基づいて前記第２の音出力手段が接続されている場合にはデータ出力先を前記第２の音出力手段に設定し、前記第２の音出力手段が接続されていない場合にはデータ出力先を前記第１の音出力手段に設定し、
この設定されたデータ出力先に基づいて前記記憶手段の各音データのうちの異なる音データを読み出して前記第１または第２の音出力手段に出力してイベントの通知を行うことを特徴とするイベント通知方法。
【請求項１０】
表示手段および音出力手段を備えると共に、複数の音データを記憶した記憶手段と、前記表示手段の表示画面の少なくとも一部を覆う開閉自在の蓋部材とを備えた電子機器に用いられるイベント通知方法であって、
所定の通知を行うべきタイミングになったか否かを判断し、
前記タイミングになったときに前記蓋部材の開閉状態を検出し、
その検出結果に基づいて前記蓋部材が開いている場合と閉じている場合とで前記記憶手段の各音データのうちの異なる音データを読み出して前記音出力手段に出力してイベントの通知を行うことを特徴とするイベント通知方法。
【請求項１１】
表示手段および音出力手段を備えると共に、複数の音データを記憶した記憶手段と、点灯時に前記表示手段の表示画面に対して光を照射する光源とを備えた電子機器に用いられるイベント通知方法であって、
所定の通知を行うべきタイミングになったか否かを判断し、
前記タイミングになったときに前記光源の点灯状態を検出し、
その検出結果に基づいて前記光源が点灯している場合と点灯していない場合とで前記記憶手段の各音データのうちの異なる音データを読み出して前記音出力手段に出力してイベントの通知を行うことを特徴とするイベント通知方法。
【発明の詳細な説明】
【０００１】
【発明の属する技術分野】
本発明は、例えばＰＤＡ（Ｐｅｒｓｏｎａｌ  Ｄｉｇｉｔａｌ  Ａｓｓｉｓｔａｎｔ）や携帯電話、ポータブルオーディオ機器などの電子機器に係り、特に何らかのイベントが発生した場合における通知機能を備えた電子機器と、この電子機器に用いられるイベント通知方法に関する。
【０００２】
【従来の技術】
例えば、ＰＤＡや携帯電話のような携帯型の電子機器では、その機器本体をカバンや衣服等に入れた状態で、当該機器内に予め記録された音楽データをリモコン操作にて再生することにより、その音楽データをイヤホンを通じて聴くことがある。
【０００３】
また、この種の電子機器では、電池残量が所定量以下になったときに、例えばメッセージを画面上に表示したり、ビープ音等の警告音を発生するなどして、ユーザにその旨を通知する機能を備えたものがある（例えば特許文献１参照）。
【０００４】
【特許文献１】
特開平６−１１９５７２号公報
【０００５】
【発明が解決しようとする課題】
しかしながら、前記のようにイヤホンを通じて音楽を聴いているような場合に、電池残量の低下などのイベントの発生をメッセージ表示によりユーザに通知する方法では、いちいち機器本体をカバンや衣服から取り出してイベント内容を確認しなければならないため、手間がかかるなどの問題がある。
【０００６】
一方、ビープ音などの警告音を発生する方法では、イヤホンを使用しているときに何の警告が出されたのか直ぐに判らない。この場合、例えば「電池が消耗しています。電池を交換または充電してください」といったような具体的なイベント内容を音声で通知する方法もあるが、そのときにユーザがイヤホンを使用していない場合には、画面上でイベント内容を直ぐに確認できる状況にあるため、イベント内容をわさわざ音声通知することは邪魔になることが多い。
【０００７】
本発明は前記のような点に鑑みなされたもので、何らかのイベントの発生時に、そのときの状況に応じた適切なイベント通知を行うことができる電子機器及びイベント通知方法を提供することを目的とする。
【０００８】
【課題を解決するための手段】
本発明の電子機器は、第１の音出力手段を備えた電子機器であって、複数の音データを記憶した記憶手段と、前記第１の音出力手段とは別の第２の音出力手段を接続するための接続手段と、この接続手段に前記第２の音出力手段が接続されているか否かを検出する接続状態検出手段と、所定の通知を行うべきタイミングになったときに、前記接続状態検出手段によって検出される前記第２の音出力手段の接続状態に応じて、データ出力先を前記第１または第２の音出力手段に設定する出力先設定手段と、この出力先設定手段によって設定されたデータ出力先に基づいて前記記憶手段の各音データのうちの異なる音データを読み出して前記第１または第２の音出力手段に出力する制御手段とを具備して構成される。
【０００９】
このような構成によれば、第１の音出力手段とは別の第２の音出力手段を任意に接続できる場合において、その第２の音出力手段の接続状態に応じてイベント通知用の音データの出力先が設定され、第１の音出力手段と第２の音出力手段とで音データが切り換えられて出力される。例えば第１の音出力手段はスピーカであり、第２の音出力手段はイヤホンである。この第２の音出力手段の接続状態に応じてデータ出力先を変更すると共にそのデータ出力先に出力すべき通知用の音データを切り換えることで、そのときの状況に応じた適切なイベント通知を実現できる。
【００１０】
また、本発明の電子機器は、表示手段および音出力手段を備えた電子機器であって、複数の音データを記憶した記憶手段と、前記表示手段の表示画面の少なくとも一部を覆う開閉自在の蓋部材と、この蓋部材の開閉状態を検出する開閉状態検出手段と、所定の通知を行うべきタイミングになったときに、前記開閉状態検出手段によって検出される前記蓋部材の開閉状態に基づいて前記記憶手段の各音データのうちの異なる音データを読み出して前記音出力手段に出力する制御手段とを具備して構成される。
【００１１】
このような構成によれば、表示手段の表示画面の少なくとも一部を覆う開閉自在の蓋部材を備える場合に、その蓋部材の開閉状態に応じてイベント通知用の音データを切り換えて出力することで、そのときの状況に応じた適切なイベント通知を実現できる。
【００１２】
また、本発明の電子機器は、表示手段および音出力手段を備えた電子機器であって、複数の音データを記憶した記憶手段と、点灯時に前記表示手段の表示画面に対して光を照射する光源と、この光源の点灯状態を検出する点灯状態検出手段と、所定の通知を行うべきタイミングになったときに、前記点灯状態検出手段によって検出される前記光源の点灯状態に基づいて前記記憶手段の各音データのうちの異なる音データを読み出して前記音出力手段に出力する制御手段とを具備して構成される。
【００１３】
このような構成によれば、表示手段の表示画面に対して光を照射する光源を備える場合に、その光源の点灯状態に応じてイベント通知用の音データを切り換えて出力することで、そのときの状況に応じた適切なイベント通知を実現できる。
【００１４】
【発明の実施の形態】
以下、図面を参照して本発明の実施形態を説明する。
【００１５】
（第１の実施形態）
図１は本発明の電子機器としてＰＤＡ等の携帯型端末装置を例にした場合の構成を示すブロック図である。
【００１６】
図１に示すように、この端末装置１０はＣＰＵ１１を備えると共に、このＣＰＵ１１にバスを介して接続された入力装置１２、表示装置１３、再生装置１６などを含む各種デバイスを備える。ＣＰＵ１１は、本装置全体の制御を行うものであり、プログラムを読み込むことにより、そのプログラムに記述された手順に従って各種処理を実行する。
【００１７】
入力装置１２は、例えばキーボードやタッチパネルなどからなり、各種データの入力や指示などを行う。表示装置１３は、例えばＬＣＤ（Ｌｉｑｕｉｄ  Ｃｒｙｓｔａｌ  Ｄｉｓｐｌａｙ）などからなり、各種データの表示を行う。また、この表示装置１３は、バックライト１４および表示蓋１５を有する。バックライト１４は、表示装置１３の背面などに設置され、点灯時に光を照射して表示画面を明るく照らす光源として用いられる。表示蓋１５は、表示装置１３に対して開閉自在に取り付けられており、閉じた状態で表示装置１３の表示画面の一部あるいは全体を覆うように構成されている。
【００１８】
再生装置１６は、Ｄ／Ａ変換器などを含み、音楽データや音声データを再生出力するための所定の処理を行う。この再生装置１６には、第１の音出力装置であるスピーカ１７が接続されていると共に、第２の音出力装置であるイヤホン１８がジャク１９を介して任意に接続される。イヤホン１８がジャク１９に接続されていない状態では再生装置１６のデータ出力先がスピーカ１７となっており、イヤホン１８が接続された場合にデータ出力先がイヤホン１８に切り換えられる。
【００１９】
また、この端末装置１０は、現在時刻を計時するＲＴＣ（Ｒｅａｌ  Ｔｉｍｅ  Ｃｌｏｃｋ）２０、外部端末との間でネットワークを介してデータ通信を行うための通信装置２１を備えると共に、記憶デバイスであるＲＯＭ２２、ＲＡＭ２３、駆動源として用いられる電池２４、さらに各種検出部２５〜２８を備える。前記ネットワークとしては、ＬＡＮやインターネットなどを含む。
【００２０】
ＲＯＭ２２は、本発明を実現するためのプログラムを含む各種プログラムや表示用のフォントデータなどを記憶するための記憶領域２２ａ、２２ｂを有する。ＲＡＭ２３は、ＣＰＵ１１の動作に必要な各種データを記憶するためのワークエリアとして用いられるものであり、ここでは記憶領域２３ａ、２３ｂ、２３ｃを有する。
【００２１】
記憶領域２３ａには、例えばネットワークなどを通じて外部から取得した音楽データが記憶される。記憶領域２３ｂには、例えば電池残量が所定量以下に低下したときや、スケジュール時刻になったときなど、何らのイベントが発生したときに用いられる各種音声データ（音声ファイル）が記憶される。記憶領域２３ｃには、後述する設定画面（図５及び図８参照）にてユーザによって設定された通知に関する各種設定データが記憶される。
【００２２】
なお、前記記憶領域２３ｂに記憶される各種音声データ（音声ファイル）には、予め設定された音声通知用のデータの他に、警告音として用いられるビープ音等の音のデータも含まれるものとする。
【００２３】
電池２４は、二次電池などからなり、携帯時の電源として用いられる。電池残量検出部２５は、例えば電池２４の電圧レベルから現在の残量を検出し、その検出信号をＣＰＵ１１に出力する。
【００２４】
また、イヤホン接続状態検出部２６は、第２の音出力手段であるイヤホン１８の接続状態を検出し、その検出信号をＣＰＵ１１に出力する。表示蓋開閉状態検出部２７は、表示装置１３の表示画面を覆う表示蓋１５の開閉状態を検出し、その検出信号をＣＰＵ１１に出力する。点灯状態検出部２８は、表示装置１３の表示画面を照らすバックライト１４の点灯状態を検出し、その検出信号をＣＰＵ１１に出力する。
【００２５】
次に、前記構成の端末装置１０の動作について説明する。
【００２６】
なお、以下の各フローチャートで示される処理は、マイクロプロセッサであるＣＰＵ１１がプログラムを読み込むことによって実行される。このプログラムはＲＯＭ２２の記憶領域２２ａに予め記憶されていても良いし、磁気ディスク等の記録媒体によって提供されても良い。さらに、インターネット等の通信媒体を介して提供されるような形態であっても良い。
【００２７】
図２は本発明の第１の実施形態における端末装置１０のイベント通知処理の動作を示すフローチャートである。
【００２８】
今、ＲＡＭ２３の記憶領域２３ａに記憶された音楽データが読み出され、再生装置１６によりスピーカ１７またはイヤホン１８から再生出力されているものとする。
【００２９】
音楽再生中に、ＣＰＵ１１は、本装置の駆動源である電池２４の残量を定期的にチェックする（ステップＡ１１）。この電池残量は、電池残量検出部２５によって検出される。電池残量検出部２５は、例えば電池２４の電圧レベルから現在の残量を検出し、その旨の検出信号をＣＰＵ１１に出力している。
【００３０】
ここで、電池残量が所定量以下になった場合（ステップＡ１１のＹｅｓ）、ＣＰＵ１１は、まず、音楽再生動作を停止し（ステップＡ１２）、その際に、イヤホン接続状態検出部２６から出力される検出信号に基づいて、イヤホン１８がジャク１９に接続されているか否かを判断する（ステップＡ１３）。イヤホン接続状態検出部２６は、例えばジャク１９に設置された機械スイッチのオン／オフ状態からイヤホン１８の接続の有無を検出し、その旨の検出信号をＣＰＵ１１に出力している。
【００３１】
イヤホン１８が接続されていた場合（ステップＡ１３のＹｅｓ）、ＣＰＵ１１はデータ出力先をイヤホン１８に設定した後（ステップＡ１４）、その設定されたデータ出力先であるイヤホン１８から音声で電池残量の低下状態を通知する（ステップＡ１５）。詳しくは、ＲＡＭ２３の記憶領域２３ｂに記憶されている各種音声データ（音声ファイル）の中から「電池残量」に関する音声通知用のデータを読み出し、これを再生装置１６を通じてイヤホン１８に出力する。これにより、例えば「電池が消耗しています。電池を交換または充電してください」といったようなメッセージがイヤホン１８から再生出力されることになる。
【００３２】
一方、イヤホン１８が接続されていなかった場合（ステップＡ１３のＮｏ）、ＣＰＵ１１はデータ出力先をスピーカ１７に設定した後（ステップＡ１６）、その設定されたデータ出力先であるスピーカ１７から警告音を出力することにより、電池残量の低下状態をユーザに通知する（ステップＡ１７）。詳しくは、ＲＡＭ２３の記憶領域２３ｂに記憶されている各種音声データ（音声ファイル）の中から「電池残量」に関する警告音用のデータを読み出し、これを再生装置１６を通じてスピーカ１７に出力する。これにより、例えば「ピー」といったような特定の音データがスピーカ１７から再生出力されることになる。
【００３３】
また、このときに、ＣＰＵ１１は表示装置１３の表示画面上に所定のメッセージを表示することにより、イベントの内容をユーザに視覚的に知らしめる（ステップＡ１８）。
【００３４】
このようにして電池残量が低下していることをユーザに通知した後、ＣＰＵ１１は音楽再生動作を再開して、再生装置１６により当該音楽データをスピーカ１７またはイヤホン１８から再生出力する（ステップＡ１７）。
【００３５】
このように、本発明の第１の実施形態によれば、音楽再生中に電池残量の低下状態をユーザに通知する場合において、イヤホン１８が接続されている状況であれば、データ出力先がイヤホン１８に設定され、そこから所定の音声データが出力される。このときの音声データとは、イベント内容を表すメッセージデータのことである。したがって、例えばカバン等から機器本体を取り出してイベント内容を画面上で確認するといったことをしなくとも、イヤホン１８を通して具体的なイベント内容（ここでは電池残量が低下していること）を確認でき、直ぐに適切な対応を取ることができる。
【００３６】
一方、イヤホン１８が接続されていない状況であれば、データ出力先がスピーカ１７に設定され、そのスピーカ１７から別の音声データが出力される。別の音声データとは具体的には警告音のことである。このような警告音をスピーカ１７から発することで、ユーザは何らかのイベントが発生したことを知り、そのイベント内容（ここでは電池残量が低下していること）を表示画面上で確認することができる。
【００３７】
なお、データ出力先がスピーカ１７の場合に音声通知（メッセージ出力）をせずに、警告音の発生だけで対応するようにしているのは（ステップＡ１７）、イヤホン未使用時ではユーザが表示画面に表示されたイベント内容を直ぐに確認でき、このような環境下でスピーカ１７からわさわざ音声でイベント内容を通知することは却って邪魔であり、ユーザが煩わしいと感じることが多いからである。
【００３８】
また、前記第１の実施形態では、電池残量が所定量以下になったときにイベント通知を行うものとして説明したが、この他に、例えば以下に挙げるようなタイミングでイベント通知を行うことも可能である。
【００３９】
・録音、録画、撮影用のメモリの空き容量が所定量以下になったとき
・所定時間再生動作が行われたとき
・所定回数連続して同じ再生動作が行われたとき
・予めセットされた時刻（スケジュール時刻など）になったとき
・温度の値が所定値以上になったとき
・振動の値が所定値以上になったとき
・電波の値が所定値以下になったとき（携帯電話の電波受信強度など）
・電子メールを受信したとき
・何らかのエラーが発生したとき。
【００４０】
また、音楽再生中にイベント通知用の音声データ（警告音を含む）を再生出力する方法としては、次のような３通りの方法がある。
【００４１】
すなわち、第１の方法は、図３（ａ）に示すように、イベント発生時に音楽再生を一時停止し、その間にイベント通知用の音声データを再生出力し、それが終わったら音楽再生を再開するといった方法である。この場合、音楽データは一時停止した状態から続けて再開されることになる。
【００４２】
第２の方法は、図３（ｂ）に示すように、イベント発生時にデータ出力を「音楽」から「音声」に切り換えることにより、イベント通知用の音声データを再生出力し、それが終わったらデータ出力を「音楽」に戻して音楽再生を再開するといった方法である。この場合、音楽データは途中から再開されることになる。
【００４３】
第３の方法は、図３（ｃ）に示すように、イベント発生時に音楽再生を中断せず、イベント通知用の音声データを再生出力し、「音楽」と「音声」を合成して出力する。そして、音声データの再生出力が終了したら、音楽データのみを再生出力するといった方法である。この場合、音楽データは中断せずに再生されるが、途中で音声データが混在することになる。
【００４４】
（第２の実施形態）
次に、本発明の第２の実施形態について説明する。
【００４５】
前記第１の実施形態では、イヤホン１８の接続状態だけで通知変更を行うようにしていたが、第２の実施形態では、イヤホン１８の接続状態の他に、さらにバックライト１４の点灯状態や表示蓋１５の開閉状態などの他の条件を含めて通知変更を行うものであり、また、その条件をユーザが任意に設定可能とするものである。
【００４６】
なお、装置構成については図１と同様であるため、ここでは第２の実施形態としての処理動作についてフローチャートを参照しながら説明する。
【００４７】
（ａ）通知設定処理
図４は本発明の第２の実施形態における端末装置１０の通知設定処理の動作を示すフローチャートである。
【００４８】
例えば図示せぬメニュー画面上の「通知設定」の項目を選択するなど、所定の操作により通知設定が指示されると（ステップＢ１１のＹｅｓ）、ＣＰＵ１１は図５に示すような通知設定画面３１を表示装置１３に表示する（ステップＢ１２）。
【００４９】
この通知設定画面３１には、「通知項目」として「時報通知」と「電池残量通知」の２つの項目３２、３３が設けられていると共に、「通知方法」として「バックライトオフ」と「表示蓋閉」の２つの項目３４、３５が設けられており、これらをユーザがペンやマウス等の操作により任意に選択できるように構成されている。
【００５０】
「通知項目」として設けられた「時報通知」項目３２は、予め設定された時刻になったときに時報を鳴らすか否かを選択するための項目である。「電池残量通知」項目３３は、電池残量が低下している状況を通知するか否かを選択するための項目である。また、「通知方法」として設けられた「バックライトオフ」項目３４は、音声通知の条件を「バックライトオフ」とする否かを選択するための項目である。「表示蓋閉」項目３５は、音声通知の条件を「表示蓋閉」とするか否かを選択するための項目である。
【００５１】
ここで、通知設定画面３１に設けられた「設定」キー３６が押下されると（ステップＢ１３のＹｅｓ）、ＣＰＵ１１は当該通知設定画面３１上にてユーザが選択した項目に対応した設定データをＲＡＭ２３の記憶領域２３ｃに記憶する（ステップＢ１４）。この場合、記憶領域２３ｃに前回の設定データが保持されていれば、その前回の設定データに今回の設定データを上書きすることにより設定データの更新を行う。
【００５２】
一方、「設定」キー３６ではなく、「キャンセル」キー３７が押下された場合には（ステップＢ１５のＹｅｓ）、ＣＰＵ１１は前回の設定データをそのままにして、現在表示されている通知設定画面３１を閉じる（ステップＢ１６）。
【００５３】
（ｂ）イベント通知処理
図６および図７は本発明の第２の実施形態における端末装置１０のイベント通知処理の動作を示すフローチャートである。
【００５４】
今、ＲＡＭ２３の記憶領域２３ａに記憶された音楽データが読み出され、再生装置１６によりスピーカ１７またはイヤホン１８から再生出力されているものとする。この音楽データの再生中に、ＣＰＵ１１はＲＡＭ２３の記憶領域２３ｃに記憶された設定データに基づいて以下のような処理を実行する。
【００５５】
すなわち、ＣＰＵ１１は、まず、前記通知設定画面３１の「通知項目」に関する設定内容の確認を行う。そして、その「通知項目」の中で「時報通知」が設定されていた場合には（ステップＣ１１のＹｅｓ）、ＣＰＵ１１はＲＴＣ２０から得られる現在時刻を監視することにより、予めユーザにより設定された時刻（時報を鳴らす時刻）になった時点で（ステップＣ１２のＹｅｓ）、音楽再生動作を停止する（ステップＣ１３）。
【００５６】
ここで、ＣＰＵ１１はイヤホン接続状態検出部２６から出力される検出信号に基づいて、イヤホン１８がジャク１９に接続されているか否かを判断する（ステップＣ１４）。イヤホン接続状態検出部２６は、例えばジャク１９に設置された機械スイッチのオン／オフ状態からイヤホン１８の接続の有無を検出し、その旨の検出信号をＣＰＵ１１に出力している。
【００５７】
イヤホン１８が接続されていた場合（ステップＣ１４のＹｅｓ）、ＣＰＵ１１はデータ出力先をイヤホン１８に設定する（ステップＣ１５）。続いて、前記通知設定画面３１の「通知方法」に関する設定内容の確認を行い、ユーザの設定した条件の下で以下のように通知方法を切り換える。図５に示すように、「通知方法」には、「バックライトオフ（バックライトオフ時に音声通知を行う）」と「表示蓋閉（表示蓋が閉じられているときに音声通知を行う）」がある。
【００５８】
「バックライトオフ」の設定がなされていれば（ステップＣ１６のＹｅｓ）、ＣＰＵ１１は点灯状態検出部２８から出力される検出信号に基づいて、バックライト１４がオフ状態にあるか否かを判断する（ステップＣ１７）。点灯状態検出部２８は、例えばバックライト１４の点灯制御を行うスイッチ回路のオン／オフ状態からバックライト１４の点灯状態を検出し、その旨の検出信号をＣＰＵ１１に出力している。
【００５９】
その結果、バックライト１４がオン状態（点灯状態）にあれば（ステップＣ１７のＮｏ）、ＣＰＵ１１は前記設定されたデータ出力先であるイヤホン１８からビープ音（時報音）を出力することにより、設定時刻になった旨を通知する（ステップＣ２１）。詳しくは、ＲＡＭ２３の記憶領域２３ｂに記憶されている各種音声データ（音声ファイル）の中から「時報」に関する警告音用のデータを読み出し、これを再生装置１６を通じてイヤホン１８に出力する。この場合、例えば「ピー」といったような特定の音データがイヤホン１８から再生出力されることになる。
【００６０】
バックライト１４がオフ状態（消灯状態）であった場合には（ステップＣ１７のＹｅｓ）、ＣＰＵ１１は前記設定されたデータ出力先であるイヤホン１８から音声で時刻を通知する（ステップＣ２０）。詳しくは、ＲＡＭ２３の記憶領域２３ｂに記憶されている各種音声データ（音声ファイル）の中から「時報」に関する音声通知用のデータを読み出し、これを再生装置１６を通じてイヤホン１８に出力する。この場合、例えば「只今＊＊時になりました」といったようなメッセージがイヤホン１８から再生出力されることになる。
【００６１】
ただし、「バックライトオフ」の他に「表示蓋閉」の設定も同時になされていれば、ＣＰＵ１１は表示蓋１５の開閉状態を含めて検出することより、その検出結果に基づいてビープ音（時報音）または音声にて時刻通知を行うことになる（ステップＣ１８〜Ｃ２１）。表示蓋１５の開閉状態は表示蓋開閉状態検出部２７によって検出される。この表示蓋開閉状態検出部２７は、例えば表示蓋１５に設置された機械スイッチのオン／オフ状態から表示蓋１５の開閉状態を検出し、その旨の検出信号をＣＰＵ１１に出力している。
【００６２】
また、「表示蓋閉」の設定だけがなされていれば、ＣＰＵ１１は表示蓋１５の開閉状態の検出結果に基づいて前記同様の時刻通知を行うことになる（ステップＣ１５→Ｃ１８〜Ｃ２１）。
【００６３】
このような時刻通知を行った後、ＣＰＵ１１は音楽再生動作を再開して、再生装置１６により当該音楽データをイヤホン１８から再生出力する（ステップＣ２２）。
【００６４】
また、前記ステップＣ１４において、イヤホン１８が接続されていなかった場合には、ＣＰＵ１１はデータ出力先をスピーカ１７に設定した後（ステップＣ２３）、その設定されたデータ出力先であるスピーカ１７からビープ音（時報音）を出力することにより、設定時刻になった旨を通知する（ステップＣ２４）。
【００６５】
一方、前記ステップＣ２５において、前記通知設定画面３１の「通知項目」の中で「電池残量通知」が設定されていた場合には、監視対象を電池残量にして前記同様の処理が実行される。
【００６６】
すなわち、音楽再生中に、ＣＰＵ１１は、本装置の駆動源である電池２４の残量を定期的にチェックする（ステップＣ２６）。この電池残量は、電池残量検出部２５によって検出される。電池残量検出部２５は、例えば電池２４の電圧レベルから現在の残量を検出し、その旨の検出信号をＣＰＵ１１に出力している。
【００６７】
ここで、電池残量が所定量以下になった場合（ステップＣ２６のＹｅｓ）、ＣＰＵ１１は、まず、音楽再生動作を停止し（ステップＣ２７）、その際に、イヤホン接続状態検出部２６から出力される検出信号に基づいて、イヤホン１８がジャク１９に接続されているか否かを判断する（ステップＣ２８）。
【００６８】
イヤホン１８が接続されていた場合（ステップＣ２８のＹｅｓ）、ＣＰＵ１１はデータ出力先をイヤホン１８に設定する（ステップＣ２９）。続いて、前記通知設定画面３１の「通知方法」に関する設定内容の確認を行い、ユーザの設定した条件の下で以下のように通知方法を切り換える。前述したように、「通知方法」には、「バックライトオフ（バックライトオフ時に音声通知を行う）」と「表示蓋閉（表示蓋が閉じられているときに音声通知を行う）」がある。
【００６９】
「バックライトオフ」の設定がなされていれば（ステップＣ３０のＹｅｓ）、ＣＰＵ１１は点灯状態検出部２８から出力される検出信号に基づいて、バックライト１４がオフ状態にあるか否かを判断する（ステップＣ３１）。
【００７０】
その結果、バックライト１４がオン状態（点灯状態）にあれば（ステップＣ３１のＮｏ）、ＣＰＵ１１は前記設定されたデータ出力先であるイヤホン１８から警告音を出力することにより、電池残量の低下状態をユーザに通知する（ステップＣ３５）。詳しくは、ＲＡＭ２３の記憶領域２３ｂに記憶されている各種音声データ（音声ファイル）の中から「電池残量」に関する警告音用のデータを読み出し、これを再生装置１６を通じてイヤホン１８に出力する。この場合、例えば「ピー」といったような特定の音データがイヤホン１８から再生出力されることになる。
【００７１】
バックライト１４がオフ状態（消灯状態）であった場合には（ステップＣ３１のＹｅｓ）、ＣＰＵ１１は前記設定されたデータ出力先であるイヤホン１８から音声で電池残量の低下状態を通知する（ステップＣ３４）。詳しくは、ＲＡＭ２３の記憶領域２３ｂに記憶されている各種音声データ（音声ファイル）の中から「電池残量」ら関する音声通知用のデータを読み出し、これを再生装置１６を通じてイヤホン１８に出力する。この場合、例えば「電池が消耗しています。電池を交換または充電してください」といったようなメッセージがイヤホン１８から再生出力されることになる。
【００７２】
ただし、「バックライトオフ」の他に「表示蓋閉」の設定も同時になされていれば、ＣＰＵ１１は表示蓋１５の開閉状態を含めて検出することより、その検出結果に基づいて警告音または音声にて電池残量の通知を行うことになる（ステップＣ３２〜Ｃ３４）。
【００７３】
また、「表示蓋閉」の設定だけがなされていれば、ＣＰＵ１１は表示蓋１５の開閉状態の検出結果に基づいて前記同様の電池残量の通知を行うことになる（ステップＣ２９→Ｃ３２〜Ｃ３４）。
【００７４】
このような電池残量通知を行った後、ＣＰＵ１１は音楽再生動作を再開して、再生装置１６により当該音楽データをイヤホン１８から再生出力する（ステップＣ３６）。
【００７５】
また、前記ステップＣ２８において、イヤホン１８が接続されていなかった場合には、ＣＰＵ１１はデータ出力先をスピーカ１７に設定した後（ステップＣ３７）、その設定されたデータ出力先であるスピーカ１７から警告音を出力することにより、電池残量の低下状態を通知する（ステップＣ３８）。
【００７６】
このように、本発明の第２の実施形態によれば、イヤホン１８の接続状態だけでなく、バックライト１４の点灯状態や表示蓋１５の開閉状態などを含めて、音声通知を行う条件をユーザが任意に設定することができ、イベント発生時にこれらの条件の下で音声メッセージによる通知あるいは警告音による通知が行われるようになる。
【００７７】
なお、データ出力先がスピーカ１７の場合には音声通知（メッセージ出力）をせずに、警告音の発生だけで対応するようにしたのは（ステップＣ２４またはステップＣ３８）、前記第１の実施形態で既に説明したように、イヤホン未使用時ではユーザが表示画面に表示されたイベント内容を直ぐに確認でき、このような環境下でスピーカ１７からわさわざ音声でイベント内容を通知することは却って邪魔であり、ユーザが煩わしいと感じることが多いからである。
【００７８】
また、前記第２の実施形態では、イベントとして「時報」と「電池残量」を例にして説明したが、さらに別のイベントを含めて前記同様の処理を行うことも可能である。
【００７９】
また、前記第１の実施形態と同様に、音楽再生中にイベント通知用の音声データ（警告音を含む）を再生出力する方法として、前記図３（ａ）、（ｂ）、（ｃ）で説明した３通りの方法があり、その中のいずれかの方法を適用することができる。
【００８０】
（第３の実施形態）
次に、本発明の第３の実施形態について説明する。
【００８１】
第３の実施形態では、第１の音出力手段であるスピーカ１７と第２の音出力手段であるイヤホン１８とで音声通知する内容をユーザが任意に設定できるようにしたものである。図８にそのときに用いられる通知設定画面４１の一例を示す。
【００８２】
図８に示した通知設定画面４１は、スケジュール表に関するものであり、ユーザが登録したスケジュールの件名、時刻、メモを対象として、これらを音声で通知するか否かを「イヤホン使用時」と「スピーカ使用時」に分けて設定するための各項目４２〜４７を有する。ユーザはこれらの項目４２〜４７をペンやマウス等で任意に選択して通知設定を行う。また、図中の４８は「設定」キーであり、これを押下することで当該画面４１上にて設定された内容が確定される。４９は「キャンセル」キーであり、これを押下することで設定内容がキャンセルされ、この通知設定画面４１が閉じられる。
【００８３】
なお、この通知設定画面４１を用いた通知設定処理については図４のフローチャートて示した流れと同様であるため、その詳しい説明は省略するものとする。この通知設定画面４１上で設定されたデータはＲＡＭ２３の記憶領域２３ｃに記憶される。
【００８４】
また、装置構成についても図１と同様である。以下では、第３の実施形態におけるイベント通知処理についてフローチャートを参照しながら説明する。
【００８５】
図９および図１０は本発明の第３の実施形態における端末装置１０のイベント通知処理の動作を示すフローチャートである。
【００８６】
今、ＲＡＭ２３の記憶領域２３ａに記憶された音楽データが読み出され、再生装置１６によりスピーカ１７またはイヤホン１８から再生出力されているものとする。この音楽データの再生中に、ＣＰＵ１１はＲＡＭ２３の記憶領域２３ｃに記憶された設定データに基づいて以下のような処理を実行する。
【００８７】
すなわち、ＣＰＵ１１は、ＲＴＣ２０から取得した現在時刻に基づいて所定の時刻になったか否かを判断する（ステップＤ１１）。前記所定の時刻とは、ユーザがスケジュール表に設定した時刻の所定時間前（例えば３０分前）であるとする。なお、スケジュール表に関するデータはＲＡＭ２３の所定の領域に記憶されているものとする。
【００８８】
所定の時刻になると（ステップＤ１１のＹｅｓ）、ＣＰＵ１１は、まず、音楽再生動作を停止し（ステップＤ１２）、その際に、イヤホン接続状態検出部２６から出力される検出信号に基づいて、イヤホン１８がジャク１９に接続されているか否かを判断する（ステップＤ１３）。イヤホン接続状態検出部２６は、例えばジャク１９に設置された機械スイッチのオン／オフ状態からイヤホン１８の接続の有無を検出し、その旨の検出信号をＣＰＵ１１に出力している。
【００８９】
イヤホン１８が接続されていた場合（ステップＤ１３のＹｅｓ）、ＣＰＵ１１はデータ出力先をイヤホン１８に設定する（ステップＤ１４）。続いて、前記通知設定画面４１の「イヤホン使用時」に対応した設定内容の確認を行い、ユーザの設定した条件の下で以下のような音声通知を行う。図８に示すように、スケジュール表に関する音声通知の項目としては、「件名通知」、「時刻通知」、「メモ通知」がある。
【００９０】
「件名通知」の設定がなされていれば（ステップＤ１５のＹｅｓ）、ＣＰＵ１１は前記設定されたデータ出力先であるイヤホン１８から音声でスケジュールの件名を通知する（ステップＤ１６）。詳しくは、ＲＡＭ２３の記憶領域２３ｂに記憶されている各種音声データ（音声ファイル）の中から「件名」に関する音声通知用のデータを読み出し、これを再生装置１６を通じてイヤホン１８に出力する。この場合、例えば「＊＊会議が開催されます」といったようなメッセージがイヤホン１８から再生出力されることになる。
【００９１】
また、「時刻通知」の設定がなされていれば（ステップＤ１７のＹｅｓ）、ＣＰＵ１１は前記設定されたデータ出力先であるイヤホン１８から音声でスケジュールの時刻を通知する（ステップＤ１８）。詳しくは、ＲＡＭ２３の記憶領域２３ｂに記憶されている各種音声データ（音声ファイル）の中から「時刻」に関する音声通知用のデータを読み出し、これを再生装置１６を通じてイヤホン１８に出力する。この場合、例えば「会議開始＊＊分前です」といったようなメッセージがイヤホン１８から再生出力されることになる。
【００９２】
また、「メモ通知」の設定がなされていれば（ステップＤ１９のＹｅｓ）、ＣＰＵ１１は前記設定されたデータ出力先であるイヤホン１８から音声でスケジュールのメモ内容を通知する（ステップＤ２０）。詳しくは、ＲＡＭ２３の記憶領域２３ｂに記憶されている各種音声データ（音声ファイル）の中から「メモ」に関する音声通知用のデータを読み出し、これを再生装置１６を通じてイヤホン１８に出力する。この場合、例えば「ＯＨＰの準備を行ってください」といったようなメッセージがイヤホン１８から再生出力されることになる。
【００９３】
このようにして、予め指定された項目に関する音声通知を行った後、ＣＰＵ１１は音楽再生動作を再開して、再生装置１６により当該音楽データを現在の出力先であるイヤホン１８から再生出力する（ステップＤ２１）。
【００９４】
一方、前記ステップＤ１３において、イヤホン１８が接続されていなかった場合には、ＣＰＵ１１はデータ出力先をスピーカ１７に設定した後（ステップＤ２２）、その設定されたデータ出力先であるスピーカ１７から前記同様の音声通知を行う。
【００９５】
すなわち、「件名通知」の設定がなされていれば（ステップＤ２３のＹｅｓ）、ＣＰＵ１１は前記設定されたデータ出力先であるスピーカ１７から音声でスケジュールの件名を通知する（ステップＤ２４）。また、「時刻通知」の設定がなされていれば（ステップＤ２５のＹｅｓ）、ＣＰＵ１１は前記設定されたデータ出力先であるスピーカ１７から音声でスケジュールの時刻を通知する（ステップＤ２６）。「メモ通知」の設定がなされていれば（ステップＤ２７のＹｅｓ）、ＣＰＵ１１は前記設定されたデータ出力先であるイヤホン１８から音声でスケジュールのメモ内容を通知する（ステップＤ２８）。
【００９６】
このようにして、予め指定された項目に関する音声通知を行った後、ＣＰＵ１１は音楽再生動作を再開して、再生装置１６により当該音楽データを現在の出力先であるスピーカ１７から再生出力する（ステップＤ２９）。
【００９７】
このように、本発明の第３の実施形態によれば、スピーカ１７とイヤホン１８に分けて音声通知する項目を任意に設定することができる。
【００９８】
なお、前記第３の実施形態では、イベントとしてスケジュール表の「件名」、「時刻」、「メモ」を例にして説明したが、さらに別のイベントを含めて前記同様の処理を行うことも可能である。
【００９９】
また、前記第１の実施形態と同様に、音楽再生中にイベント通知用の音声データを再生出力する方法として、前記図３（ａ）、（ｂ）、（ｃ）で説明した３通りの方法があり、その中のいずれかの方法を適用することができる。
【０１００】
また、前記各実施形態において、イベント通知時に用いられる警告音などを含む各種音声データは、インターネット等のネットワークを介して外部から任意に取得することができる。これらの音声データはファイル化されてＲＡＭ２３の記憶領域２３ｂに保持される。ユーザはこれらの中から各イベント毎に使用する音声データを任意に設定することができる。
【０１０１】
また、イベント通知時に警告音を出力するものとした箇所において（例えば図２のステップＡ１５、図６のステップＣ２１、Ｃ２４、図７のステップＣ３４、Ｃ３８）、警告音に代えて、例えば音声メッセージを出力することでも良い。要するに、何らかのイベント通知を行うべきタイミングになったときに、イヤホン１８の接続状態や、所定の条件（バックライト、表示蓋）に応じて各音声データを切り換えて出力する構成であれば良い。
【０１０２】
また、本発明は、ＰＤＡの他に、携帯電話やポータブルオーディオ機器、さらにデジタルカメラ、デジタルムービーカメラ、カメラ付き携帯電話など、音声再生機能を搭載可能な電子機器であれば、その全てに適用することができる。
【０１０３】
また、本発明は前記各実施形態に限定されるものではなく、実施段階ではその要旨を逸脱しない範囲で種々に変形することが可能である。更に、前記各実施形態には種々の段階の発明が含まれており、開示される複数の構成要件における適宜な組み合わせにより種々の発明が抽出され得る。例えば、実施形態で示される全構成要件から幾つかの構成要件が削除されても、「発明が解決しようとする課題」で述べた効果が解決でき、「発明の効果」の欄で述べられている効果が得られる場合には、この構成要件が削除された構成が発明として抽出され得る。
【０１０４】
また、上述した各実施形態において記載した手法は、コンピュータに実行させることのできるプログラムとして、例えば磁気ディスク（フレキシブルディスク、ハードディスク等）、光ディスク（ＣＤ−ＲＯＭ、ＤＶＤ−ＲＯＭ等）、半導体メモリなどの記録媒体に書き込んで各種装置に適用したり、そのプログラム自体をネットワーク等の伝送媒体により伝送して各種装置に適用することも可能である。本装置を実現するコンピュータは、記録媒体に記録されたプログラムあるいは伝送媒体を介して提供されたプログラムを読み込み、このプログラムによって動作が制御されることにより、上述した処理を実行する。
【０１０５】
また、前述したＣＤ−ＲＯＭやＤＶＤ−ＲＯＭ等の記録媒体の他にも、例えば、Ｂｌｕ−ｒａｙ  Ｄｉｓｃ（Ｒ）やＡＯＤ（Ａｄｖａｎｃｅｄ  Ｏｐｔｉｃａｌ  Ｄｉｓｃ）などの青色レーザを用いた次世代光ディスク、赤色レーザを用いるＨＤ−ＤＶＤ９、青紫色レーザーを用いるＢｌｕｅ  Ｌａｓｅｒ  ＤＶＤなど、今後開発される種々の大容量記録媒体を用いて本発明を実施することが可能である。
【０１０６】
【発明の効果】
以上詳記したように本発明によれば、例えばイヤホンの接続機構を備えた電子機器であれば、イヤホンの接続時には具体的なイベント内容を表す音声メッセージを出力し、イヤホンの非接続時には警告音を出力するなど、イヤホンの接続状態に応じてイベント通知用の音データを切り換えて出力することにより、そのときの状況に応じた適切なイベント通知を実現できる。
【図面の簡単な説明】
【図１】本発明の電子機器としてＰＤＡ等の携帯型端末装置の例にした場合の構成を示すブロック図。
【図２】本発明の第１の実施形態における端末装置のイベント通知処理の動作を示すフローチャート。
【図３】音楽再生中にイベント通知用の音声データを再生出力する方法を説明するための図。
【図４】本発明の第２の実施形態における端末装置の通知設定処理の動作を示すフローチャート。
【図５】前記第２の実施形態で用いられる通知設定画面の一例を示す図。
【図６】前記第２の実施形態における端末装置のイベント通知処理の動作を示すフローチャート。
【図７】前記第２の実施形態における端末装置のイベント通知処理の動作を示すフローチャート。
【図８】本発明の第３の実施形態で用いられる通知設定画面の一例を示す図。
【図９】前記第３の実施形態における端末装置のイベント通知処理の動作を示すフローチャート。
【図１０】前記第３の実施形態における端末装置のイベント通知処理の動作を示すフローチャート。
【符号の説明】
１０…端末装置
１１…ＣＰＵ
１２…入力装置
１３…表示装置
１４…バックライト
１５…表示蓋
１６…再生装置
１７…スピーカ
１８…イヤホン
１９…ジャク
２０…ＲＴＣ
２１…通信装置
２２…ＲＯＭ
２３…ＲＡＭ
２４…電池
２５…電池残量検出部
２６…イヤホン接続状態検出部
２７…表示蓋開閉状態検出部
２８…点灯状態検出部
【図１】
2004304563.tif 000003
【図２】
2004304563.tif 000004
【図３】
2004304563.tif 000005
【図４】
2004304563.tif 000006
【図５】
2004304563.tif 000007
【図６】
2004304563.tif 000008
【図７】
2004304563.tif 000009
【図８】
2004304563.tif 000010
【図９】
2004304563.tif 000011
【図１０】
2004304563.tif 000012